(57)【要約】【課題】  賞味期限の短い商品の購入に対してインセンティブを与えることで、賞味期限までの猶予期間が短い商品の購買を促進させる。【解決手段】  商品情報管理サーバ３は、商品を一意に識別する商品ＩＤ１１と対応づけて商品の製造情報８０Ａ（賞味期限８４を含む）および販売情報８０Ｂ（販売日時８７を含む）を登録し管理する商品データベース８０を有する。ポイント発行サーバ４は、ユーザ端末７から購入された商品の商品ＩＤ１１とユーザＩＤ等（購入者の情報）を受信し、ポイントの発行要求を受けると、商品情報管理サーバ３（商品データベース８０）から商品ＩＤ１１に対応する賞味期限８４と販売日時８７を取得し、賞味期限８４と販売日時８７との差が所定期間内の場合に、ポイントを発行する。【選択図】図１０
2019169090.tif 000002
【特許請求の範囲】
【請求項１】
商品の情報を管理する商品情報管理サーバと、商品の購入者に対してポイントを発行するポイント発行サーバと、がネットワークを介して接続されたポイント発行システムであって、
前記商品情報管理サーバは、
商品を一意に識別する商品識別情報と対応づけて、商品の製造情報および販売情報を登録し記憶するデータベースを有し、
前記製造情報は、商品の賞味期限または消費期限の情報を含み、
前記販売情報は、商品の販売日時の情報を含み、
前記ポイント発行サーバは、
購入された商品の商品識別情報と購入者の情報を受信し、ポイントの発行要求を受ける受信手段と、
前記商品情報管理サーバから、前記商品識別情報に対応する前記賞味期限または前記消費期限、および前記販売日時の情報を取得する取得手段と、
前記賞味期限または前記消費期限と前記販売日時との差が所定期間内の場合に、前記購入者に対してポイントを発行するポイント発行手段と、
を備えることを特徴とするポイント発行システム。
【請求項２】
前記ポイント発行手段は、前記賞味期限または前記消費期限と前記販売日時との差に応じて発行するポイントを変えることを特徴とする請求項１に記載のポイント発行システム。
【請求項３】
商品群毎に、ポイント発行の有無、発行するポイント、及び前記所定期間が設定されることを特徴とする請求項１または請求項２に記載のポイント発行システム。
【請求項４】
商品毎に、ポイント発行の有無、発行するポイント、及び前記所定期間が設定されることを特徴とする請求項１または請求項２に記載のポイント発行システム。
【請求項５】
前記ポイント発行サーバとネットワークを介して接続された、商品の購入者が所持するユーザ端末、を備え、
前記ユーザ端末は、
購入した商品の商品識別情報を読み取る読取手段と、
前記商品識別情報と前記購入者の情報を前記ポイント発行サーバに送信し、ポイントの発行要求を行う要求手段と、
前記ポイント発行サーバから発行されたポイントの情報を受信し表示するポイント情報表示手段と、を備え、
前記ポイント発行サーバは、
前記ポイント発行手段により発行したポイントの情報を、前記ユーザ端末に送信するポイント情報送信手段と、を更に備える
ことを特徴とする請求項１から請求項４のいずれかに記載のポイント発行システム。
【請求項６】
前記ポイント発行サーバとネットワークを介して接続された店舗端末、を備え、
前記店舗端末は、
購入者が購入する商品の商品識別情報を読み取る読取手段と、
前記購入者が所持する会員証を読み取り、会員識別情報を取得する取得手段と、
前記商品識別情報と前記会員識別情報を前記ポイント発行サーバに送信し、ポイントの発行要求を行う要求手段と、を備え、
前記ポイント発行サーバは、
会員識別情報と対応づけて保有ポイントの情報を記憶するポイントデータベースを有し、
前記受信手段は、前記店舗端末から商品識別情報と会員識別情報を含むポイントの発行要求を受信し、
前記ポイント発行手段により発行されたポイントを、前記ポイントデータベースの前記会員識別情報に対応する前記保有ポイントに反映させる
ことを特徴とする請求項１から請求項４のいずれかに記載のポイント発行システム。
【請求項７】
前記商品情報管理サーバとネットワークを介して接続された、商品の製造情報を登録するための第１の登録端末と、商品の販売情報を登録するための第２の登録端末と、を備え、
前記第１の登録端末は、
製造された商品の商品識別情報を読み取る読取手段と、
前記商品識別情報と、前記商品の賞味期限または消費期限の情報を含む製造情報を、前記商品情報管理サーバに送信する送信手段と、を備え、
前記第２の登録端末は、
購入された商品の商品識別情報を読み取る読取手段と、
前記商品識別情報と、前記商品の販売日時の情報を含む販売情報を、前記商品情報管理サーバに送信する送信手段と、を備え、
前記商品情報管理サーバは、
前記第１の登録端末から商品識別情報と製造情報を受信すると、当該製造情報を、前記データベースの該当する商品識別情報に対応付けて登録する製造情報登録手段と、
前記第２の登録端末から商品識別情報と販売情報を受信すると、当該販売情報を、前記データベースの該当する商品識別情報に対応付けて登録する販売情報登録手段と、
を備えることを特徴とする請求項１に記載のポイント発行システム。
【請求項８】
商品を一意に識別する商品識別情報を生成する商品識別情報生成サーバ、を備え、
前記商品情報管理サーバは、
前記商品識別情報生成サーバが生成した商品識別情報を前記データベースに登録する商品識別情報登録手段と、
を更に備えることを特徴とする請求項１または請求項７に記載のポイント発行システム。
【請求項９】
商品の包材に、前記商品識別情報生成サーバが生成した商品識別情報が印刷されることを特徴とする請求項８に記載のポイント発行システム。
【請求項１０】
商品を一意に識別する商品識別情報と対応づけて、商品の賞味期限または消費期限の情報を含む製造情報、および商品の販売日時の情報を含む販売情報を記憶するデータベースを有する商品情報管理サーバとネットワークを介して接続された、商品の購入者に対してポイントを発行するポイント発行サーバであって、
購入された商品の商品識別情報と購入者の情報を受信し、ポイントの発行要求を受ける受信手段と、
前記商品情報管理サーバから、前記商品識別情報に対応する前記賞味期限または前記消費期限、および前記販売日時の情報を取得する取得手段と、
前記賞味期限または前記消費期限と前記販売日時との差が所定期間内の場合に、前記購入者に対してポイントを発行するポイント発行手段と、
を備えることを特徴とするポイント発行サーバ。
【請求項１１】
商品を一意に識別する商品識別情報と対応づけて、商品の賞味期限または消費期限の情報を含む製造情報、および商品の販売日時の情報を含む販売情報を記憶するデータベースを有する商品情報管理サーバとネットワークを介して接続された、商品の購入者に対してポイントを発行するポイント発行サーバが実行するポイント発行方法であって、
購入された商品の商品識別情報と購入者の情報を受信し、ポイントの発行要求を受けるステップと、
前記商品情報管理サーバから、前記商品識別情報に対応する前記賞味期限または前記消費期限、および前記販売日時の情報を取得するステップと、
前記賞味期限または前記消費期限と前記販売日時との差が所定期間内の場合に、前記購入者に対してポイントを発行するステップと、
を含むことを特徴とするポイント発行方法。
【発明の詳細な説明】
【技術分野】
【０００１】
本発明は、ポイント発行システム、ポイント発行サーバ、及びポイント発行方法に関する。
【背景技術】
【０００２】
日本国内における年間の食品廃棄量は、食糧消費全体の３割にあたる約２８００万トンにもなり、このうち、売れ残りや期限を超えた食品、食べ残しなど、まだ食べられるのに捨てられている食べ物、いわゆる「食品ロス」は、年間約６２１万トンにも上る（環境省「食品廃棄物等の利用状況等（平成２６年度推計）」）。これは、世界中で飢餓に苦しむ人々に向けた世界の食料援助量を大きく上回る量である。
【０００３】
食品ロスを削減するために、様々な取り組みが行われている。例えば、各店舗において商品の販売量の見直しを行なったり、商品の納品期限・販売期限の緩和を実施したり、少人数世帯では食品を使い切らない傾向があることを考慮して少容量の商品を拡充したり、味や品質を落とさずに従来よりも長い消費期限を可能にしたチルド弁当を開発したり、日々の気温の違いが売れ行きを左右することから気温に応じて生産量を増減させる、など各種の取り組みが行われている。また、食品廃棄物を肥料化し、その肥料で育てた野菜等を販売する食品リサイクルループの構築も進められている。さらに、食品企業の製造工程で発生する規格外品などを引き取り、福祉施設等へ無償で提供するフードバンク活動も注目されている。
【先行技術文献】
【特許文献】
【０００４】
【特許文献１】特開２０１２−０４３０１９号公報
【特許文献２】特開２０１０−０６１２７６号公報
【発明の概要】
【発明が解決しようとする課題】
【０００５】
ところで、生活者が店頭で商品を購入する際に、その商品をいつ使用するかに関わらず、賞味期限が長いもの（日付の新しいもの）を選んで購入する傾向がある。この生活者の行動が商品の売れ残りを助長し、食品ロスの一要因ともなっている。そのため、店頭オペレーションでは、売れ残りを減らすために、賞味期限の短いものを手前に、長いものを奥にと、商品補充毎に並び替える作業負荷が発生している。また、賞味期限の残りが短いものについては、適宜、値引きシールを貼る等の対策で、価格を安くし、購入を促進しているが、シールを貼る行為、レジの設定等で作業負荷が発生している。
【０００６】
本発明は、前述した問題点に鑑みてなされたものであり、賞味期限の短い商品の購入に対してインセンティブを与えることで、賞味期限までの猶予期間が短い商品の購買を促進させることを目的とする。
【課題を解決するための手段】
【０００７】
前述した目的を達成するための第１の発明は、商品の情報を管理する商品情報管理サーバと、商品の購入者に対してポイントを発行するポイント発行サーバと、がネットワークを介して接続されたポイント発行システムであって、前記商品情報管理サーバは、商品を一意に識別する商品識別情報と対応づけて、商品の製造情報および販売情報を登録し記憶するデータベースを有し、前記製造情報は、商品の賞味期限または消費期限の情報を含み、前記販売情報は、商品の販売日時の情報を含み、前記ポイント発行サーバは、購入された商品の商品識別情報と購入者の情報を受信し、ポイントの発行要求を受ける受信手段と、前記商品情報管理サーバから、前記商品識別情報に対応する前記賞味期限または前記消費期限、および前記販売日時の情報を取得する取得手段と、前記賞味期限または前記消費期限と前記販売日時との差が所定期間内の場合に、前記購入者に対してポイントを発行するポイント発行手段と、を備えることを特徴とするポイント発行システムである。発行されたポイントは、例えば、次回以降の商品購入時に代金の全部又は一部に充当できたり、或いは、景品、クーポン券、イベントへの参加、キャンペーンへの応募等の特典と交換することができる。
【０００８】
第１の発明によれば、ポイント発行サーバが、賞味期限（消費期限）と販売日時との差が所定期間内の場合に、商品の購入者に対してポイントを発行するので、賞味期限（消費期限）までの猶予期間が短い商品への購買意欲を高めることができる。これにより、賞味期限（消費期限）までの猶予期間が短い商品の購買が促進され、食品ロスの削減に繋がることが期待できる。また、ユーザがインセンティブを通じて、エコ意識を持つことで、店頭で商品を選択する際に、消費予定、調理予定にあわせた購入を心がけるようになり、不必要に賞味期限の長い商品を選択することが少なくなる。また、賞味期限の短いもの、長いものがバランスよく購入されるようになり、商品補充時に、新しく陳列するものを棚の奥側にする等の店舗側の作業負担が低減する。
【０００９】
第１の発明において、前記ポイント発行手段は、前記賞味期限または前記消費期限と前記販売日時との差に応じて発行するポイントを変えるようにしても良い。例えば、賞味期限（消費期限）と販売日時との差が小さいほど発行するポイントを多くすれば、賞味期限（消費期限）に近いほどポイント還元率が高くなるため、賞味期限（消費期限）により短い商品の購買が促進されることが期待できる。
【００１０】
第１の発明において、商品群毎に、ポイント発行の有無、発行するポイント、及び前記所定期間が設定されるようにしても良い。また、商品毎に、ポイント発行の有無、発行するポイント、及び前記所定期間が設定されるようにしても良い。これにより、商品群毎、或いは商品毎にポイントの発行条件を設定することができる。
【００１１】
第１の発明において、前記ポイント発行サーバとネットワークを介して接続された、商品の購入者が所持するユーザ端末、を備え、前記ユーザ端末は、購入した商品の商品識別情報を読み取る読取手段と、前記商品識別情報と前記購入者の情報を前記ポイント発行サーバに送信し、ポイントの発行要求を行う要求手段と、前記ポイント発行サーバから発行されたポイントの情報を受信し表示するポイント情報表示手段と、を備え、前記ポイント発行サーバは、前記ポイント発行手段により発行したポイントの情報を、前記ユーザ端末に送信するポイント情報送信手段と、を更に備えるようにしても良い。これにより、商品を購入したユーザは、自身のユーザ端末を用いて、ポイントの付与を受けることができる。
【００１２】
第１の発明において、前記ポイント発行サーバとネットワークを介して接続された店舗端末、を備え、前記店舗端末は、購入者が購入する商品の商品識別情報を読み取る読取手段と、前記購入者が所持する会員証を読み取り、会員識別情報を取得する取得手段と、前記商品識別情報と前記会員識別情報を前記ポイント発行サーバに送信し、ポイントの発行要求を行う要求手段と、を備え、前記ポイント発行サーバは、会員識別情報と対応づけて保有ポイントの情報を記憶するポイントデータベースを有し、前記受信手段は、前記店舗端末から商品識別情報と会員識別情報を含むポイントの発行要求を受信し、前記ポイント発行手段により発行されたポイントを、前記ポイントデータベースの前記会員識別情報に対応する前記保有ポイントに反映させるようにしても良い。これにより、商品購入時に会員証を提示することで、会員証の保有ポイントに発行ポイントを付与することができる。
【００１３】
第１の発明において、前記商品情報管理サーバとネットワークを介して接続された、商品の製造情報を登録するための第１の登録端末と、商品の販売情報を登録するための第２の登録端末と、を備え、前記第１の登録端末は、製造された商品の商品識別情報を読み取る読取手段と、前記商品識別情報と、前記商品の賞味期限または消費期限の情報を含む製造情報を、前記商品情報管理サーバに送信する送信手段と、を備え、前記第２の登録端末は、購入された商品の商品識別情報を読み取る読取手段と、前記商品識別情報と、前記商品の販売日時の情報を含む販売情報を、前記商品情報管理サーバに送信する送信手段と、備え、前記商品情報管理サーバは、前記第１の登録端末から商品識別情報と製造情報を受信すると、当該製造情報を、前記データベースの該当する商品識別情報に対応付けて登録する製造情報登録手段と、前記第２の登録端末から商品識別情報と販売情報を受信すると、当該販売情報を、前記データベースの該当する商品識別情報に対応付けて登録する販売情報登録手段と、を備えるようにしても良い。これにより、第１の登録端末によって商品の製造情報が商品情報管理サーバのデータベースに登録され、第２の登録端末によって商品の販売情報が商品情報管理サーバのデータベースに登録され、商品の製造から販売までのトレーサビリティが確保される。
【００１４】
第１の発明において、商品を一意に識別する商品識別情報を生成する商品識別情報生成サーバ、を備え、前記商品情報管理サーバは、前記商品識別情報生成サーバが生成した商品識別情報を前記データベースに登録する商品識別情報登録手段と、を更に備えるようにしても良い。これにより、商品識別情報生成サーバによって商品を一意に識別する商品識別情報が生成され、商品情報管理サーバのデータベースに登録される。また、商品の包材に、前記商品識別情報生成サーバが生成した商品識別情報が印刷されるようにしても良い。これにより、商品の包材に印刷された商品識別情報によって、商品を一意に特定できるようになる。
【００１５】
第２の発明は、商品を一意に識別する商品識別情報と対応づけて、商品の賞味期限または消費期限の情報を含む製造情報、および商品の販売日時の情報を含む販売情報を記憶するデータベースを有する商品情報管理サーバとネットワークを介して接続された、商品の購入者に対してポイントを発行するポイント発行サーバであって、購入された商品の商品識別情報と購入者の情報を受信し、ポイントの発行要求を受ける受信手段と、前記商品情報管理サーバから、前記商品識別情報に対応する前記賞味期限または前記消費期限、および前記販売日時の情報を取得する取得手段と、前記賞味期限または前記消費期限と前記販売日時との差が所定期間内の場合に、前記購入者に対してポイントを発行するポイント発行手段と、を備えることを特徴とするポイント発行サーバである。
【００１６】
第３の発明は、商品を一意に識別する商品識別情報と対応づけて、商品の賞味期限または消費期限の情報を含む製造情報、および商品の販売日時の情報を含む販売情報を記憶するデータベースを有する商品情報管理サーバとネットワークを介して接続された、商品の購入者に対してポイントを発行するポイント発行サーバが実行するポイント発行方法であって、購入された商品の商品識別情報と購入者の情報を受信し、ポイントの発行要求を受けるステップと、前記商品情報管理サーバから、前記商品識別情報に対応する前記賞味期限または前記消費期限、および前記販売日時の情報を取得するステップと、前記賞味期限または前記消費期限と前記販売日時との差が所定期間内の場合に、前記購入者に対してポイントを発行するステップと、を含むことを特徴とするポイント発行方法である。
【発明の効果】
【００１７】
本発明によれば、賞味期限の短い商品の購入に対してインセンティブを与えることで、賞味期限までの猶予期間が短い商品の購買を促進させることができる。
【図面の簡単な説明】
【００１８】
【図１】ポイント発行システム１のシステム構成を示す図
【図２】商品ＩＤ１１を説明する図
【図３】商品データベース８０の内容を示す図
【図４】（ａ）ポイント発行テーブル９０ａの内容を示す図、（ｂ）ポイント発行テーブル９０ｂの内容を示す図
【図５】各サーバ（商品ＩＤ生成サーバ２、商品情報管理サーバ３、ポイント発行サーバ４）のハードウェア構成の例を示す図
【図６】メーカ端末５のハードウェア構成の例を示す図
【図７】店舗端末６のハードウェア構成の例を示す図
【図８】ユーザ端末７のハードウェア構成の例を示す図
【図９】商品の製造から販売までの工程を示すフローチャート
【図１０】ポイント発行処理を示すフローチャート
【図１１】ユーザデータベース１００の内容を示す図
【図１２】ユーザ端末７の表示例を示す図
【図１３】ポイント発行システム１Ａのシステム構成を示す図
【図１４】ポイントデータベース２００の内容を示す図
【図１５】販売情報の登録処理を示すフローチャート
【図１６】ポイント発行処理を示すフローチャート
【図１７】ポイント発行システム１Ｂのシステム構成を示す図
【図１８】ポイント発行処理を示すフローチャート
【図１９】ポイント発行システム１Ｃのシステム構成を示す図
【図２０】ポイント発行処理の流れを示すフローチャート
【発明を実施するための形態】
【００１９】
以下図面に基づいて、本発明の実施の形態を詳細に説明する。
【００２０】
［第１の実施の形態］
＜ポイント発行システム１＞
図１は、本発明の第１の実施の形態に係るポイント発行システム１のシステム構成を示す図である。図に示すように、ポイント発行システム１は、商品ＩＤ生成サーバ２、商品情報管理サーバ３、ポイント発行サーバ４、メーカ端末５、店舗端末６、ユーザ端末７等がネットワーク９を介して接続されて構成される。以下、各構成について説明する。
【００２１】
（商品ＩＤ生成サーバ２）
商品ＩＤ生成サーバ２は、商品（包材）１つ１つを一意に識別する商品ＩＤ（以下、「商品ＩＤ１１」と表記）を生成するサーバである。商品ＩＤ生成サーバ２は、メーカ端末５から商品ＩＤ１１の発行依頼を受けると、商品ＩＤ１１を生成し、生成した商品ＩＤ１１をメーカ端末５に送信する（データ納品する）。
【００２２】
図２は、商品ＩＤ１１の例を示す図である。図２（ａ）に示すように、商品ＩＤ１１は、ＪＡＮコード１１ａと管理番号１１ｂを結合したＩＤである。ＪＡＮコード１１ａは「どの事業者のどの商品か」を表す世界共通の識別番号であり、商品群（商品名）ごとに固定の番号である。管理番号１１ｂは、商品（包材）１つ１つを一意に識別する識別番号であり、商品ＩＤ生成サーバ２によって生成されるランダムな番号である。
【００２３】
商品ＩＤ１１は、図２（ｂ）に示すように、１次元コードまたは２次元コードに変換され、図２（ｃ）に示すように、包材メーカによって商品を充填する包材１０に印刷される。図２（ｂ）（ｃ）は、商品ＩＤ１１をＧＳ１−１２８というコードに変換し包材１０に印刷する例を示しているが、コードの種類は特に限定されない。例えば、データバーを多段に重ねたスタック式のコード（例えば、ＧＳ１データバー拡張多層型）でもよいし、ＱＲコード（登録商標）などでもよい。
【００２４】
また、商品ＩＤ１１を１次元コードや２次元コードに変換せず、商品ＩＤ１１をそのまま包材１０に印刷してもよい。また、商品ＩＤ１１を包材１０へ印刷するのではなく、商品ＩＤ１１を印刷したラベルや、商品ＩＤ１１を記憶領域に記憶したＩＣタグなどを包材１０に貼付するのでもよい。また、商品ＩＤ１１は、商品１つ１つを一意に識別するＩＤであればよく、例えば、ＪＡＮコード１１ａを省略し、管理番号１１ｂのみとしてもよい。また、商品ＩＤ１１は、数字である必要はなく、例えば、アルファベット、或いは、数字とアルファベットの組合せなどでもよい。
【００２５】
（商品情報管理サーバ３）
商品情報管理サーバ３は、商品の製造情報と販売情報をデータベース（以下、「商品データベース８０」と表記）上で管理するクラウドサーバである。後述するように、メーカ端末５（第１の登録端末）によって商品の製造情報が登録され、店舗端末６（第２の登録端末）によって商品の販売情報が登録される。
【００２６】
図３は、商品データベース８０の内容を示す図である。図に示すように、商品データベース８０には、登録商品ＩＤ８１（データベースに登録された商品ＩＤ１１）と対応付けて、商品の製造情報８０Ａおよび販売情報８０Ｂが登録される。製造情報８０Ａには、商品が製造された製造工場（製造ライン）８２、製造日時８３、賞味期限（消費期限）８４、内容物８５等の情報が含まれる。賞味期限（消費期限）８４のフィールドには、商品の賞味期限または消費期限が登録される。以下、記載を簡単とするため、単に「賞味期限８４」と表記する。販売情報８０Ｂには、商品が販売された販売店８６、販売日時８７、購入者８８等の情報が含まれる。このように、商品データベース８０では、商品１つ１つの製造情報８０Ａおよび販売情報８０Ｂが管理され、商品のトレーサビリティが確保される。
【００２７】
（ポイント発行サーバ４）
ポイント発行サーバ４は、商品の購入者に対してポイントを発行するサーバである。特に、本発明では、ポイント発行サーバ４は、購入した商品の賞味期限（消費期限）と販売日時との差が所定のポイント発行期間内の場合に、商品の購入者に対してポイントを発行する。このように、賞味期限（消費期限）の短い商品の購入に対してインセンティブを与えることで、賞味期限（消費期限）までの猶予期間が短い商品の購買が促進されることが期待できる。
【００２８】
図４（ａ）（ｂ）は、ポイント発行テーブル９０ａ、９０ｂを示す図である。ポイント発行サーバ４は、ポイント発行テーブル９０ａまたは９０ｂを参照して、商品の購入者に対してポイントを発行する。
図４（ａ）のポイント発行テーブル９０ａは、商品群毎にポイントの発行条件が設定されたテーブルである。図４（ａ）に示すように、ポイント発行テーブル９０ａには、ＪＡＮコード１１ａと対応付けて、商品名（商品群）９１とポイント発行期間９２と発行ポイント９３とポイント発行有無９４の情報が格納されている。図の例では、ＪＡＮコード１１ａ（「49XXXXXXXXXXX」）に対応する商品名９１（「ABCクッキー」）の商品を購入した場合において、その商品の賞味期限と販売日時との差がポイント発行期間９２（「7日」）以内であれば、ポイント発行サーバ４は、ポイントを「10ポイント」発行することを意味する。また、ＪＡＮコード１１ａ（「49AAAAAAAAAAA」）に対応する商品名９１（「XYZ牛乳」）の商品を購入した場合において、その商品の賞味期限と販売日時との差がポイント発行期間９２（「3日」）以内であれば、ポイント発行サーバ４は、ポイントを「7ポイント」発行することを意味する。なお、ポイント発行有無９４が「無し」に設定されている場合には、ポイント発行サーバ４は、その商品名９１の商品についてはポイントを発行しない。例えば、図の例では、ＪＡＮコード１１ａ（「49EEEEEEEEEEE」）に対応する商品名９１（「XYZカレー」）の商品についてはポイントが発行されない。
【００２９】
図４（ｂ）のポイント発行テーブル９０ｂは、商品毎にポイントの発行条件が設定されたテーブルである。図４（ｂ）に示すように、ポイント発行テーブル９０ｂには、商品ＩＤ１１と対応付けて、商品名（商品群）９１とポイント発行期間９２と発行ポイント９３とポイント発行有無９４の情報が格納される。ポイント発行テーブル９０ｂでは、商品１つ１つに対して個別にポイントの発行条件が設定されるので、例えば、同じ商品群の商品に対して異なる条件を設定することもできる。例えば、図の例では、商品ＩＤ１１「49XXXXXXXXXXXYYYYYYY」と商品ＩＤ１１「49XXXXXXXXXXXZZZZZZZ」は、同じ商品群（「ABCクッキー」）の商品であるが、ポイント発行期間９２がそれぞれ「7日」と「14日」、発行ポイント９３がそれぞれ「10ポイント」と「5ポイント」に設定されている。
【００３０】
ポイント発行テーブル９０ａ、９０ｂのポイント発行期間９２、発行ポイント９３は、ポイントサービス業者等によって適宜設定される。例えば、菓子類などの賞味期限が長いものはポイント発行期間９２が長く設定され、牛乳などの賞味期限が短いものはポイント発行期間９２が短く設定される。発行ポイント９３は、商品の売価などに応じて適宜設定される。
【００３１】
また、ポイント発行サーバ４は、賞味期限と販売日時との差に応じて発行するポイントを変えてもよい。例えば、賞味期限と販売日時との差が小さいほど（商品がより古いものほど）発行するポイントを多くしてもよい。このようにすれば、賞味期限に近づくほどポイント還元率が高くなるため、賞味期限により近い商品の購買が促進されることが期待できる。
【００３２】
図５は、上述した各サーバ（商品ＩＤ生成サーバ２、商品情報管理サーバ３、ポイント発行サーバ４）のハードウェア構成の例を示す図である。図に示すように、各サーバは、例えば、制御部２１、記憶部２２、通信部２３等がバス２８を介して接続されて構成されたコンピュータにより実現できる。但し、これに限ることなく、用途、目的に応じて様々な構成を採ることが可能である。
【００３３】
制御部２１は、CPU、ROM、RAMなどから構成される。CPUは、記憶部２２、ROMなどの記憶媒体に格納されたプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部２２、ROMなどからロードしたプログラムやデータを一時的に保持するとともに、制御部２１が各種処理を行うために使用するワークエリアを備える。
【００３４】
記憶部２２はハードディスクドライブやソリッドステートドライブ、フラッシュメモリ等であり、制御部２１が実行するプログラム、プログラム実行に必要なデータ、OSなどが格納される。これらのプログラムやデータは、制御部２１により必要に応じて読み出され実行される。通信部２３は、ネットワーク９等を介した通信を媒介する通信インタフェースであり、各サーバや各端末等との間で通信を行う。
【００３５】
（メーカ端末５）
メーカ端末５（第１の登録端末）は、食品や飲料等の商品を製造するメーカ（以下、「商品メーカ」と表記）が所有するコンピュータであり、商品の製造情報を商品情報管理サーバ３に送信し、商品データベース８０に登録する。メーカ端末５は、例えば商品の製造工場（製造ライン）に設置されており、製造工場（製造ライン）において包材１０に商品（内容物）が充填されたあと、包材１０に印刷されている商品ＩＤ１１を読み取るとともに、オペレータ等の操作によって商品の製造情報（製造工場、製造日時、賞味期限、内容物など）の入力を受け付ける。そしてメーカ端末５は、商品ＩＤ１１と製造情報（製造工場、製造日時、賞味期限、内容物など）を商品情報管理サーバ３に送信し、商品データベース８０に登録する。
【００３６】
図６は、メーカ端末５のハードウェア構成の例を示す図である。図に示すように、メーカ端末５は、例えば、制御部５１、記憶部５２、表示部５３、入力部５４、通信部５５、コード読取部５６等がバス５８を介して接続されて構成されたコンピュータにより実現できる。但し、これに限ることなく、用途、目的に応じて様々な構成を採ることが可能である。
【００３７】
制御部５１、記憶部５２、通信部５５の機能は、図５で説明した制御部２１、記憶部２２、通信部２３と略同様である。表示部５３は液晶パネル等のディスプレイ装置を有する。入力部５４は、データの入力を行い、例えば、キーボード、マウス等のポインティングデバイス、テンキー等の入力装置を有する。入力部５４を介して、コンピュータに対して、操作指示、動作指示、データ入力等を行うことができる。尚、表示部５３及び入力部５４は、タッチパネルディスプレイのように、一体となっていても良い。コード読取部５６は、商品（包材１０）に印刷された商品ＩＤ１１を読み取る。
【００３８】
（店舗端末６）
店舗端末６（第２の登録端末）は、商品を販売する店舗に設置されるＰＯＳ（Point
Of Sale）レジスタである。店舗端末６は、商品の販売処理（会計処理）を行うとともに、販売した商品の販売情報（販売店、販売日時、購入者など）を商品情報管理サーバ３に送信し、商品データベース８０に登録する。
【００３９】
図７は、店舗端末６のハードウェア構成の例を示す図である。図に示すように、店舗端末６は、例えば、制御部６１、記憶部６２、表示部６３、入力部６４、通信部６５、コード読取部６６、カード読取部６７、プリント部６８等がバス６９を介して接続されて構成される。但し、これに限ることなく、用途、目的に応じて様々な構成を採ることが可能である。
【００４０】
制御部６１、記憶部６２、通信部６５は、図５で説明した制御部２１、記憶部２２、通信部２３と略同様であり、表示部６３、入力部６４、コード読取部６６は、図６で説明した表示部５３、入力部５４、コード読取部５６と略同様である。記憶部６２には、店舗端末６が設置された販売店の情報が記憶されている。カード読取部６７は、ユーザが提示した会員証を読み取り、各種会員情報を取得する。プリント部６８は、商品の購入情報（購入商品、購入金額、ポイント情報など）を印刷したレシート（領収書）を出力する。
【００４１】
（ユーザ端末７）
ユーザ端末７は、商品の購入者が所持するコンピュータであり、例えば、スマートフォン、タブレット端末、デスクトップＰＣ、ノートＰＣ等である。ユーザ端末７は、ポイント発行サーバ４にポイントの発行を要求し、ポイントの付与を受けることができる。ユーザ端末７を用いてポイントを発行する処理（ポイント発行処理）は後述する（図１０）。
【００４２】
図８は、ユーザ端末７のハードウェア構成の例を示す図である。図に示すように、ユーザ端末７は、制御部７１、記憶部７２、表示部７３、入力部７４、通信部７５、カメラ７６等がバス７８を介して接続されて構成される。但し、これに限ることなく、用途、目的に応じて様々な構成を採ることが可能である。
【００４３】
制御部７１、記憶部７２、通信部７５は、図５で説明した制御部２１、記憶部２２、通信部２３と略同様であり、表示部７３、入力部７４は、図６で説明した表示部５３と入力部５４と略同様である。記憶部７２には、ポイント発行サーバ４が発行するポイントの提供を受けるための専用のアプリケーション（「ポイント発行アプリ」）が格納されている。
【００４４】
＜商品の製造から販売までの工程＞
次に、図９のフローチャート参照しながら、商品の製造から販売までの工程の概略を説明する。ここでは説明を簡略化するため、１個の商品を製造する場合について説明する。この工程の中で、商品情報管理サーバ３（商品データベース８０）に商品の製造情報８０Ａと販売情報８０Ｂ（購入者８８以外の販売情報）が登録される。
【００４５】
（商品ＩＤの生成）
商品メーカは、商品を製造するに先立ち、まず、当該商品の商品ＩＤ１１を取得する。具体的には、メーカ端末５が、商品ＩＤ１１の発行依頼を、商品ＩＤ生成サーバ２に送信する（ステップＳ１）。この際、メーカ端末５は、製造する商品の商品名（商品群）を一意に識別するＪＡＮコード１１ａの情報も送信する。
【００４６】
商品ＩＤ生成サーバ２は、メーカ端末５から商品ＩＤ１１の発行依頼を受信すると、商品ＩＤ１１を生成する（ステップＳ２）。例えば、商品ＩＤ生成サーバ２は、ランダムかつユニークな番号である管理番号１１ｂを生成し、生成した各管理番号１１ｂとメーカ端末５から受信したＪＡＮコード１１ａとを結合し、商品ＩＤ１１を生成する（図２（ａ）参照）。そして、商品ＩＤ生成サーバ２は、生成した商品ＩＤ１１を、メーカ端末５に送信しデータ納品する（ステップＳ３）。
【００４７】
（商品ＩＤの登録）
続いて、商品メーカは、商品ＩＤ１１がデータ納品されると、当該商品ＩＤ１１を商品情報管理サーバ３（商品データベース８０）に登録する。具体的には、メーカ端末５は、商品ＩＤ１１を商品情報管理サーバ３に送信し、商品ＩＤ１１の登録要求を行う（ステップＳ４）。商品情報管理サーバ３は、メーカ端末５から商品ＩＤ１１を受信すると、商品データベース８０に新規のレコードを作成し、作成したレコードの登録商品ＩＤ８１（図３参照）のフィールドに商品ＩＤ１１を登録する（ステップＳ５）。
【００４８】
なお、商品ＩＤ１１の登録は、商品ＩＤ生成サーバ２が行ってもよい。この場合、商品ＩＤ生成サーバ２は、ステップＳ２において商品ＩＤ１１を生成したのち、商品ＩＤ１１を商品情報管理サーバ３に送信し、商品ＩＤ１１の登録要求を行う。そして、商品情報管理サーバ３は、商品ＩＤ生成サーバ２から商品ＩＤ１１を受信すると、商品データベース８０に新規のレコードを作成し、作成したレコードの登録商品ＩＤ８１（図３）のフィールドに商品ＩＤ１１を登録する。
【００４９】
（包材の製造）
一方、商品メーカは、商品ＩＤ１１がデータ納品されると、包材メーカに当該商品ＩＤ１１が印刷された包材１０の製造を依頼する（ステップＳ６）。包材メーカは、商品に応じた所定の形状、デザインの包材１０を製造し（ステップＳ７）、更に、包材１０の所定の位置に１次元コードまたは２次元コードに変換された商品ＩＤ１１を印刷する（ステップＳ８）。これにより、図２（ｃ）に示したように、商品ＩＤ１１が印刷された包材１０が製造される。製造された包材１０は、依頼元の商品メーカに納品される（ステップＳ９）。
【００５０】
（商品の製造、および製造情報の登録）
商品メーカは、商品ＩＤ１１が印刷された包材１０が納品されると、包材１０に商品（内容物）を充填するとともに（ステップＳ１０）、商品の製造情報を商品情報管理サーバ３（商品データベース８０）に登録する（ステップＳ１１）。具体的には、メーカ端末５が、コード読取部５６により包材１０に印刷された商品ＩＤ１１を読み取るとともに、オペレータ等の操作によって商品の製造情報（製造工場、製造日時、賞味期限、内容物）の入力を受け付ける。そして、メーカ端末５は、商品ＩＤ１１とともに、商品の製造情報（製造工場、製造日時、賞味期限、内容物）を商品情報管理サーバ３に送信し、製造情報の登録要求を行う。
【００５１】
商品情報管理サーバ３は、メーカ端末５から商品ＩＤ１１と製造情報（製造工場、製造日時、賞味期限、内容物）を受信すると、商品データベース８０の登録商品ＩＤ８１（商品ＩＤ１１と一致する登録商品ＩＤ８１）の製造情報８０Ａ（製造工場８２、製造日時８３、賞味期限８４、内容物８５）のフィールドに、受信した製造情報（製造工場、製造日時、賞味期限、内容物）を登録する（ステップＳ１２）。
【００５２】
例えば、メーカ端末５から商品ＩＤ１１「49XXXXXXXXXXXYYYYYYY」と、製造情報として、製造工場「A工場」、製造日時「2018/2/13 15:00」、賞味期限「2018/4/13 15:00」、内容物「ABCクッキー」を受信した場合、商品情報管理サーバ３は、図３に示すように、該当する登録商品ＩＤ８１「49XXXXXXXXXXXYYYYYYY」の製造工場８２のフィールドに「A工場」、製造日時８３のフィールドに「2018/2/13 15:00」、賞味期限８４のフィールドに「2018/4/13
15:00」、内容物８５のフィールドに「ABCクッキー」を登録する。なお、この時点では、図３の販売情報８０Ｂ（販売店８６、販売日時８７、購入者８８）には、情報の登録は未だされていない。
【００５３】
そして商品メーカは、商品情報管理サーバ３（商品データベース８０）に製造情報の登録を行うと、製造した商品を出荷し、直接または卸売業者を介して店舗（小売店）へ納品する（ステップＳ１３）。
【００５４】
（商品の販売、および販売情報の登録）
店舗は、納品された商品を売り場に展開し、最終消費者（ユーザ）に販売する。店舗には、店舗端末６が設置されており、店頭オペレータの操作によって商品の販売処理が行われる。また店舗端末６は、商品販売時に、商品の販売情報を商品情報管理サーバ３に送信し、販売情報の登録を行う。具体的には、店舗端末６は、コード読取部６６により商品に印刷された商品ＩＤ１１を読み取り、読み取った商品ＩＤ１１とともに、商品の販売情報（販売店、販売日時）を商品情報管理サーバ３に送信し、販売情報の登録要求を行う（ステップＳ１４）。
【００５５】
商品情報管理サーバ３は、店舗端末６から商品ＩＤ１１と販売情報（販売店、販売日時）を受信すると、商品データベース８０の該当する登録商品ＩＤ８１（商品ＩＤ１１と一致する登録商品ＩＤ８１）を検索し、検索された登録商品ＩＤ８１の販売情報８０Ｂ（販売店８６、販売日時８７）のフィールドに、受信した販売情報（販売店、販売日時）を登録する（ステップＳ１５）。
【００５６】
例えば、店舗端末６から商品ＩＤ１１「49XXXXXXXXXXXYYYYYYY」と、販売情報として、販売店「Xマーケット」、販売日時「2018/4/9 17:00」を受信した場合、商品情報管理サーバ３は、図３に示すように、該当する登録商品ＩＤ「49XXXXXXXXXXXYYYYYYY」の販売店８６のフィールドに「Xマーケット」、販売日時８７のフィールドに「2018/4/9 17:00」を登録する。なお、この時点では、図３の販売情報８０Ｂの購入者８８には、情報の登録は未だされていない。
【００５７】
＜ポイント発行処理＞
以上、商品の製造から販売まで工程の概略を説明した。次に、図１０のフローチャートを参照しながら、商品の購入者が、自身のユーザ端末７を用いて、ポイントを発行する処理について説明する。なお、ユーザが所持するユーザ端末７には、ポイント発行サーバ４にポイントの発行を要求しポイントの付与を受けるための専用のアプリケーション（以下、「ポイント発行アプリ」と表記）がインストールされているものとする。
【００５８】
ポイント発行アプリは、ユーザ端末７のカメラ７６により商品ＩＤ１１を読み取る機能、読み取った商品ＩＤ１１をポイント発行サーバ４に送信しポイントの発行を要求する機能、ポイント発行サーバ４から発行されたポイントの情報を受信する機能、などを有する。
【００５９】
ポイント発行サーバ４は、図１１に示すように、ポイント発行アプリのユーザ情報を記憶するユーザデータベース１００を有する。ユーザデータベース１００には、ポイント発行アプリの各ユーザのユーザＩＤ１０１、パスワード１０２、氏名１０３等が記憶されている。ユーザＩＤ１０１、パスワード１０２、氏名１０３等は、例えば、ポイント発行アプリのインストール時またはインストール後に、ポイント発行アプリのユーザ登録画面において登録される。
【００６０】
ここでは、ポイントを発行するユーザ（商品の購入者）は、図３の登録商品ＩＤ８１（「49XXXXXXXXXXXYYYYYYY」）の商品（「ABCクッキー」）を購入したユーザであり、かつ、図１１のポイント発行アプリのユーザＩＤ１０１「0001」のユーザ（「○○太郎」）であるものとして、図１０のフローチャートを参照しながらポイントを発行する処理を説明する。
【００６１】
まず、ユーザは、ユーザ端末７のポイント発行アプリを起動させ、カメラ７６により購入した商品の包材１０に印刷されている商品ＩＤ１１を撮影し、商品ＩＤ１１を読み取る（ステップＳ２１）。続いて、ユーザ端末７は、読み取った商品ＩＤ１１と、ユーザＩＤ１０１およびパスワード１０２（購入者の情報）をポイント発行サーバ４に送信し、ポイントの発行要求を行う（ステップＳ２２）。すなわち、ここでは、ユーザ端末７は、商品ＩＤ１１（「49XXXXXXXXXXXYYYYYYY」）、ユーザＩＤ１０１「0001」、パスワード１０２「######」を送信し、ポイント発行サーバ４に対してポイントの発行要求を行う。
【００６２】
ポイント発行サーバ４は、ユーザ端末７からポイントの発行要求を受けると、ユーザ端末７から受信したユーザＩＤ１０１およびパスワード１０２をユーザデータベース１００（図１１）と照合することで、ユーザの認証処理を行う（ステップＳ２３）。ユーザの認証に成功すると、ポイント発行サーバ４は、ユーザ端末７から受信した商品ＩＤ１１と購入者の情報（例えば、図１１のユーザＩＤ１０１「0001」）を商品情報管理サーバ３に送信し、購入者の登録要求と、商品ＩＤ１１に対応する賞味期限８４と販売日時８７の取得要求を行う（ステップＳ２４）。
【００６３】
商品情報管理サーバ３は、ポイント発行サーバ４から商品ＩＤ１１と購入者の情報を受信すると、商品データベース８０の該当する登録商品ＩＤ８１（商品ＩＤ１１と一致する登録商品ＩＤ８１）を検索し、検索された登録商品ＩＤ８１の販売情報８０Ｂの購入者８８のフィールドに、ポイント発行サーバ４から受信した購入者の情報を登録する（ステップＳ２５）。例えば、ポイント発行サーバ４から購入者の情報としてユーザＩＤ１０１（「0001」）を受信すると、商品情報管理サーバ３は、図３に示すように、該当する登録商品ＩＤ８１（「49XXXXXXXXXXXYYYYYYY」）の購入者８８のフィールドにユーザＩＤ１０１（「0001」）を登録する。この時点で、図３の製造情報８０Ａと販売情報８０Ｂが全て登録され、最終消費者までを含む商品のトレーサビリティが確保される。
【００６４】
また、商品情報管理サーバ３は、商品データベース８０から、検索された登録商品ＩＤ８１に対応する賞味期限８４と販売日時８７を取得し（ステップＳ２６）、取得した賞味期限８４と販売日時８７を、ポイント発行サーバ４に送信する（ステップＳ２７）。すなわち、ここでは、図３の登録商品ＩＤ８１（「49XXXXXXXXXXXYYYYYYY」）に対応する賞味期限８４「2018/4/13
15:00」と販売日時８７「2018/4/9 17:00」がポイント発行サーバ４に送信される。
【００６５】
ポイント発行サーバ４は、商品情報管理サーバ３から、賞味期限８４と販売日時８７を受信すると、賞味期限８４と販売日時８７の差が所定のポイント発行期間内の場合に、ポイントを発行する（ステップＳ２８）。
【００６６】
具体的には、ポイント発行サーバ４は、図４（ａ）のポイント発行テーブル９０ａまたは図４（ｂ）のポイント発行テーブル９０ｂを参照して、ポイントを発行する。例えば、ポイント発行テーブル９０ａを参照してポイントを発行する場合、まず、ポイント発行サーバ４は、ポイント発行テーブル９０ａの該当するＪＡＮコード１１ａを検索し、商品名（商品群）９１を特定する。ここでは、ポイント発行テーブル９０ａのＪＡＮコード１１ａ（「49XXXXXXXXXXX」）が検索され、商品名（商品群）９１が「ABCクッキー」であることが特定される。そして、ポイント発行サーバ４は、ポイント発行テーブル９０ａのポイント発行有無９４（図４（ａ））を参照して、該当する商品名（商品群）９１（「ABCクッキー」）についてポイント発行有無９４の「有り」／「無し」を判断し、「有り」の場合には、賞味期限８４と販売日時８７との差が、ポイント発行期間９２以内であるか否かを更に判断する。そして、賞味期限８４と販売日時８７との差がポイント発行期間９２以内と判断された場合、ポイント発行サーバ４は、ポイントを発行する。本例では、ポイント発行有無９４が「有り」で、かつ、賞味期限８４（「2018/4/13 15:00」）と販売日時８７（「2018/4/9 17:00」）の差がポイント発行期間９２（「7日」）以内であるので、ポイント発行サーバ４は、ポイントを発行する。具体的には、商品名９１「ABCクッキー」の発行ポイント９３（「10ポイント」）が発行される（図４（ａ）参照）。
【００６７】
ポイント発行テーブル９０ｂ（図４（ｂ））を参照してポイントを発行する場合も同様であり、ポイント発行サーバ４は、ポイント発行テーブル９０ｂの該当する商品ＩＤ１１を検索し、検索された商品ＩＤ１１に対応するポイント発行有無９４が「有り」で、かつ、賞味期限８４と販売日時８７との差がポイント発行期間９２内の場合、発行ポイント９３に基づいてポイントを発行する。
【００６８】
そして、ポイント発行サーバ４は、発行したポイントの情報を、ユーザ端末７に送信し（ステップＳ２９）、ユーザ端末７は、ポイント発行サーバ４が発行したポイントの情報を受信し、表示部７３（表示画面）に表示する（ステップＳ３０）。
【００６９】
図１２は、ユーザ端末７において発行されたポイントの情報を表示する表示例を示す図である。図に示すように、表示部７３（表示画面）に、発行されたポイントの情報７３ａや社会貢献への感謝のメッセージ７３ｂなどが表示される。ユーザは、例えば、図１２の画面を店舗端末６の販売オペレータに提示することで、ポイントを次回以降の商品購入時に利用することができる。例えば、１ポイント＝１円として、代金の全部又は一部にポイントを充当できる。或いは、ポイントを景品、クーポン券、イベントへの参加、キャンペーンへの応募等の特典と交換することができる。
【００７０】
（ポイント２重取得の排除）
なお、図１０のステップＳ２５において、商品情報管理サーバ３が、商品データベース８０の購入者８８のフィールド（図３参照）に購入者の情報を登録しようとした際、既に購入者の情報が登録されている場合がある。これは、ポイントの発行要求があった商品ＩＤ１１について、既にポイントが発行されていることを意味する。したがって、この場合、図１０ステップＳ２５において、商品情報管理サーバ３は、既に購入者の情報が登録されている旨の通知（ポイント発行済みの通知）をポイント発行サーバ４に送り、この通知を受けたポイント発行サーバ４は、ユーザ端末７にポイント発行不可の通知を返し、ポイント発行処理を中断する。このような仕組みにより、同じ商品について２重にポイントが発行されないようにする。
【００７１】
また、ポイント発行サーバ４側でポイントが２重に発行されない仕組みを設けても良い。例えば、ポイント発行サーバ４が、ポイント発行済みの商品ＩＤ１１をリスト化した「ポイント発行済商品リスト」を作成しておき、図１０のステップＳ２２においてユーザ端末７から所定の商品ＩＤ１１についてポイントの発行要求があると、まず、「ポイント発行済商品リスト」を参照して当該商品ＩＤ１１についてポイント発行済みか否かを調べ、ポイント発行済の場合には、ユーザ端末７にポイント発行不可のエラーを返すようにする。ポイント未発行の場合には、そのまま処理を進め、ステップＳ２８においてポイントを発行したのち、当該商品ＩＤ１１を「ポイント発行済商品リスト」に登録する。
【００７２】
（ポイント不正取得の排除）
また、本実施の形態によれば、商品データベース８０に販売情報（販売日時）が登録されていることを前提として、ポイントが発行される。このため、例えば、店舗端末６（レジ）を通さずに不正に商品ＩＤ１１を読み取りポイントの発行を要求したとしても、商品データベース８０に販売情報（販売日時）が紐づいていないため、ポイントが発行されることはない。すなわち、図１０のステップＳ２６において、商品情報管理サーバ３は、商品データベース８０から販売日時８７（販売情報）を取得できない場合、販売情報が未登録である旨の通知をポイント発行サーバ４に送り、この通知を受けたポイント発行サーバ４は、ユーザ端末７にポイント発行不可の通知を返し、ポイント発行処理を中断する。このような仕組みにより、未販売の商品についてポイントが発行されないようにする。
【００７３】
以上、本発明の第１の実施の形態について説明した。本実施の形態によれば、ポイント発行処理（図１０）において、ポイント発行サーバ４が、賞味期限８４と販売日時との差が所定期間内の場合に、商品の購入者に対してポイントを発行するので、賞味期限（消費期限）までの猶予期間が短い商品への購買意欲を高めることができる。これにより、賞味期限（消費期限）までの猶予期間が短い商品の購買が促進され、食品ロスの削減に繋がることが期待される。また、ユーザがインセンティブ（ポイント）を通じて、エコ意識を持つことで、店頭で商品を選択する際に、消費予定、調理予定にあわせた購入を心がけるようになり、不必要に賞味期限の長い商品を選択することが少なくなる。また、賞味期限の短いもの、長いものがバランスよく購入されるようになり、商品補充時に、新しく陳列するものを棚の奥側にする等の店舗側の作業負担が低減する。
【００７４】
なお、ポイント発行の対象商品の情報を事前に確認できる仕組みを設けても良い。すなわち、ユーザ端末７は、ポイント発行の対象商品の確認要求をポイント発行サーバ４に送信し、ポイント発行サーバ４は、当該確認要求を受信すると、図４のポイント発行テーブル９０（９０ａ、９０ｂ）を参照して、ポイント発行有無９４が「有り」に設定されている商品を特定し、その商品名９１、ポイント発行期間９２、発行ポイント９３の情報や、商品データベース８０から得られる賞味期限８４、販売店８６の情報などを、ユーザ端末７に送信する。これにより、ユーザは、ポイントの発行対象となる商品の情報を商品購入前に確認することができる。
【００７５】
また、本実施の形態では、ユーザ端末７にインストールされた専用のアプリケーションを用いてポイントを発行する例を説明したが、ポイント発行サーバ４の会員サイト（Ｗｅｂサイト）上でポイントを発行してもよい。この場合、ユーザは、ユーザ端末７に予めインストールされているウェブブラウザを起動し、ポイント発行サーバ４の会員サイトのログインページにアクセスし、予め登録した会員ＩＤ、パスワード等を入力し、会員サイトにログインする。そして、購入した商品の包材に印刷された商品ＩＤ１１をカメラ７６で撮影し、撮影画像をポイント発行サーバ４の会員サイトにアップロードし、ポイントの発行要求を行う。ポイント発行サーバ４は、会員サイトに撮影画像がアップロードされポイントの発行要求を受けると、撮影画像から商品ＩＤ１１を取得し、ポイント発行処理を実行する。ポイント発行処理は、図１０のステップＳ２４〜ステップＳ２８と同様である。発行ポイントの情報は、会員サイトの会員ページで確認できるとともに、予め登録したメールアドレスに送信することで、ユーザ端末等で確認することができる。
【００７６】
［第２の実施の形態］
次に、図１３〜図１６を参照して、本発明の第２の実施の形態について説明する。第１の実施の形態では、商品購入後に、ユーザ端末７を用いてポイントを発行する例を説明したが、第２の実施の形態では、ポイントカードなどの会員証８を所持するユーザが、商品購入時に会員証８を提示することで、その場でポイントを発行し、会員証８の保有ポイントに反映させるものである。
【００７７】
＜ポイント発行システム１Ａ＞
図１３は、第２の実施の形態に係るポイント発行システム１Ａのシステム構成を示す図である。図に示すように、ポイント発行システム１Ａは、商品ＩＤ生成サーバ２、商品情報管理サーバ３、ポイント発行サーバ４、メーカ端末５、店舗端末６等がネットワーク９を介して接続されて構成される。なお、図１３では、１つのポイント発行サーバ４のみを図示しているが、実際には、会員証８の種類ごとにポイント発行サーバ４が存在する。
【００７８】
会員証８は、例えば、会員証の機能を持つＩＣカードや、会員番号等のデータを書き込んだ磁気ストライプやバーコード等が設けられたカードである。また、会員証の機能を持つＩＣチップを内蔵した携帯端末等であってもよい。また会員証８は、カードなどの有体物に限定されず、ポイントサービスの会員ユーザを識別可能であればどのようなものでもよい。例えば、会員証８は、携帯端末の表示画面に表示される会員ユーザを識別するバーコードやＱＲコード（登録商標）などでもよい。
【００７９】
図１４は、ポイント発行サーバ４に記憶されるポイントデータベース２００の内容を示す図である。図に示すように、ポイントデータベース２００は、会員証を一意に識別する会員証ＩＤ２０１と対応付けて保有ポイント２０２を記憶する。図の例では、会員証ＩＤ２０１「123456」の会員ユーザの保有ポイント２０２が「1000ポイント」であることを示している。保有ポイント２０２は、ポイント発行サーバ４が発行したポイントのうち未使用分のポイント（ポイント残高）を表す。会員ユーザは、店舗端末６での精算時に、会員証８を提示することで、精算金額の全部又は一部に保有ポイント２０２を充当することができる。或いは、保有ポイント２０２を、景品、クーポン券、イベントへの参加、キャンペーンへの応募等の特典と交換することができる。
【００８０】
なお、図示は省略するが、ポイント発行サーバ４は、図１４に示す情報以外に、会員証ＩＤ２０１と対応付けて会員の氏名、住所、電話番号、商品購入履歴（購入店舗、購入日時、購入商品、購入金額・・・）等の各種情報を記憶管理する。
【００８１】
第２の実施の形態では、第１の実施の形態で説明した販売情報の登録処理（図９のステップＳ１３〜Ｓ１４）が図１５のように変わる。すなわち、店舗端末６は、商品販売時に、コード読取部６６により商品（包材１０）に印刷された商品ＩＤ１１を読み取るとともに、カード読取部６７によりユーザが提示した会員証８を読み取り、ポイント発行サーバ４から購入者の情報（会員証ＩＤなど）を取得する。そして、店舗端末６は、商品ＩＤ１１とともに、商品の販売情報として販売店、販売日時、購入者の情報を商品情報管理サーバ３に送信し、販売情報の登録要求を行う（ステップＳ１３ａ）。
【００８２】
商品情報管理サーバ３は、店舗端末６から商品ＩＤ１１と販売情報（販売店、販売日時、購入者）を受信すると、商品データベース８０の該当する登録商品ＩＤ８１（商品ＩＤ１１と一致する登録商品ＩＤ８１）を検索し、検索された登録商品ＩＤ８１の販売情報８０Ｂ（販売店８６、販売日時８７、購入者８８）のフィールドに、受信した販売情報（販売店、販売日時、購入者）を登録する（ステップＳ１４）。第１の実施の形態では、商品購入後に購入者の情報が商品データベース８０に登録されるが（図１０のステップＳ２５）、第２の実施の形態では、会員証８を読み取ることで商品購入時に購入者の情報が商品データベース８０に登録される。
【００８３】
＜ポイント発行処理＞
第２の実施の形態では、第１の実施の形態で説明したポイント発行処理（図１０）が、図１６のように変わる。すなわち、店舗端末６は、商品販売時に商品情報管理サーバ３に販売情報８０Ｂの登録をしたのち、ポイント発行サーバ４に、商品ＩＤ１１と会員証ＩＤ２０１を送信し、ポイントの発行要求を行う（ステップＳ４１）。
【００８４】
ポイント発行サーバ４は、店舗端末６から商品ＩＤ１１と会員証ＩＤ２０１を受信し、ポイントの発行要求を受けると、商品ＩＤ１１を商品情報管理サーバ３に送信し、商品ＩＤ１１に紐づく賞味期限８４と販売日時８７の取得要求を行う（ステップＳ４２）。
【００８５】
商品情報管理サーバ３は、ポイント発行サーバ４から商品ＩＤ１１を受信すると、商品データベース８０の該当する登録商品ＩＤ８１（商品ＩＤ１１と一致する登録商品ＩＤ８１）を検索し、検索された登録商品ＩＤ８１に対応する賞味期限８４と販売日時８７を取得し（ステップＳ４３）、取得した賞味期限８４と販売日時８７を、ポイント発行サーバ４に送信する（ステップＳ４４）。
【００８６】
ポイント発行サーバ４は、商品情報管理サーバ３から、賞味期限８４と販売日時８７を受信すると、賞味期限８４と販売日時８７の差が所定期間内の場合、ポイントを発行する（ステップＳ４５）。そして、ポイント発行サーバ４は、発行ポイントを、ポイントデータベース２００の該当する会員証ＩＤ２０１の保有ポイント２０２に反映（加算）する（ステップＳ４６）。
【００８７】
例えば、図１４の会員証ＩＤ２０１「123456」の会員ユーザからポイントの発行要求があり、ポイント発行サーバ４が「10ポイント」発行した場合、ポイント発行サーバ４は、図１４の保有ポイント２０２「1000ポイント」に「10ポイント」を加算し、保有ポイント２０２を「1010ポイント」に更新する。なお、発行ポイントを保有ポイント２０２に反映（更新）させるタイミングは会員サービスに応じて異なり、即日反映させてもよいし、翌日以降に反映させてもよい。
【００８８】
また、ポイント発行サーバ４は、会員証ＩＤ２０１の保有ポイント２０２（ポイント残高）または今回発行したポイントの情報を、店舗端末６に送信し（ステップＳ４７）、店舗端末６は、販売処理後、レシート（領収書）に購入商品や購入金額とともに受信したポイントの情報を印刷して出力する（ステップＳ４８）。
【００８９】
以上、本発明の第２の実施の形態について説明した。第２の実施の形態についても第１の実施の形態と同様の効果を奏する。特に、第２の実施の形態では、ポイントカードなどの会員証を提示することで、商品購入時にポイントが自動で発行されるので、第１の実施の形態のように後からポイントを発行する必要がなく、ポイントの付け忘れなどが生じない。また、第２の実施の形態では、受けたいポイントサービスの種類（会員証の種類）を自由に選択できるので、ユーザにとって利便性が高い。また、第２の実施の形態では、ポイント発行サーバ４は、信頼性が確保されている店舗端末６のみからポイントの発行要求を受けるので、ポイントの不正取得などが発生しにくい。
【００９０】
なお、ポイント発行サーバ４は、賞味期限に近い商品を購入した際に発行する特別なポイントだけでなく、購入金額に応じた通常のポイントを発行してもよい。この場合、図１６のステップＳ４１において、店舗端末６は、購入金額の情報をポイント発行サーバ４に送信し、ポイント発行サーバ４は、購入金額に応じたポイントを発行する。そして、ステップＳ４６において、ポイント発行サーバ４は、購入金額に応じたポイントと、ステップＳ４５において発行したポイントの双方を保有ポイント２０２に反映（加算）する。このように、本発明に係るポイントサービスと通常のポイントサービスとを連携させることも可能である。
【００９１】
以上、添付図面を参照しながら、本発明に係るポイント発行システム等の好適な実施形態について説明したが、本発明はかかる例に限定されない。例えば、以上の実施形態では、商品情報管理サーバ３とポイント発行サーバ４を別々のサーバとして構成したが、以下に示すように、商品情報管理サーバ３とポイント発行サーバ４を一つのサーバで構成してもよい。
【００９２】
［変形例１］
図１７のポイント発行システム１Ｂは、第１の実施の形態に係るポイント発行システム１（図１）において、商品情報管理サーバ３とポイント発行サーバ４を１つのサーバ（以下、「商品情報管理サーバ３Ｂ」と表記）で構成したシステムである。
【００９３】
この場合、商品情報管理サーバ３Ｂは、商品データベース８０（図３）に加え、ポイント発行テーブル９０（図４）、ユーザデータベース１００（図１１）を記憶部に格納している。
【００９４】
図１８は、ポイント発行システム１Ｂにおけるポイント発行処理の流れを示すフローチャートである。まず、ユーザは、ユーザ端末７のポイント発行アプリを起動させ、カメラ７６により購入した商品のパッケージに印刷されている商品ＩＤ１１を撮影し、商品ＩＤ１１を読み取る（ステップＳ５１）。続いて、ユーザ端末７は、読み取った商品ＩＤ１１と、ユーザＩＤ１０１およびパスワード１０２を商品情報管理サーバ３Ｂに送信し、ポイントの発行要求を行う（ステップＳ５２）。
【００９５】
商品情報管理サーバ３Ｂは、ユーザ端末７から受信したユーザＩＤ１０１およびパスワード１０２をユーザデータベース１００（図１１）と照合することで、ユーザの認証処理を行い（ステップＳ５３）、認証に成功すると、商品情報管理サーバ３は、商品データベース８０の該当する登録商品ＩＤ８１（商品ＩＤ１１と一致する登録商品ＩＤ８１）を検索し、検索された登録商品ＩＤ８１の販売情報８０Ｂの購入者８８のフィールドに、ユーザ端末７から受信した購入者の情報を登録する（ステップＳ５４）。
【００９６】
また、商品情報管理サーバ３Ｂは、商品データベース８０から、検索された登録商品ＩＤ８１に対応する賞味期限８４と販売日時８７を取得し（ステップＳ５５）、賞味期限８４と販売日時８７の差が所定のポイント発行期間内の場合に、ポイントを発行する（ステップＳ５６）。
【００９７】
そして、商品情報管理サーバ３Ｂは、発行したポイントの情報を、ユーザ端末７に送信し（ステップＳ５７）、ユーザ端末７は、商品情報管理サーバ３Ｂが発行したポイントの情報を受信し、表示部７３（表示画面）に表示する（ステップＳ５８）。
【００９８】
以上のように、第１の実施の形態の変形例として、商品情報管理サーバとポイント発行サーバの機能を１つのサーバで実現してもよい。なお、商品の製造から販売までの工程の流れは、第１の実施の形態（図９参照）と同様である。
【００９９】
［変形例２］
図１９のポイント発行システム１Ｃは、第２の実施の形態に係るポイント発行システム１（図１）において、商品情報管理サーバ３とポイント発行サーバ４を１つのサーバ（以下、「商品情報管理サーバ３Ｃ」と表記）で構成したシステムである。
【０１００】
この場合、商品情報管理サーバ３Ｃは、商品データベース８０（図３）に加え、ポイントデータベース２００（図１４）、ポイント発行テーブル９０（図４）、ユーザデータベース１００（図１１）を記憶部に格納している。
【０１０１】
図２０は、ポイント発行システム１Ｃにおけるポイント発行処理の流れを示すフローチャートである。店舗端末６は、商品販売時に商品情報管理サーバ３Ｃに販売情報８０Ｂの登録をしたのち、商品情報管理サーバ３Ｃに、商品ＩＤ１１と会員証ＩＤ２０１を送信し、ポイントの発行要求を行う（ステップＳ６１）。
【０１０２】
商品情報管理サーバ３Ｃは、店舗端末６から商品ＩＤ１１と会員証ＩＤ２０１を受信し、ポイントの発行要求を受けると、商品データベース８０の該当する登録商品ＩＤ８１（商品ＩＤ１１と一致する登録商品ＩＤ８１）を検索し、検索された登録商品ＩＤ８１に対応する賞味期限８４と販売日時８７を取得する（ステップＳ６２）。
【０１０３】
そして、商品情報管理サーバ３Ｃは、賞味期限８４と販売日時８７の差が所定期間内の場合、ポイントを発行し（ステップＳ６３）、発行ポイントを、ポイントデータベース２００の該当する会員証ＩＤ２０１の保有ポイント２０２に反映（加算）する（ステップＳ６４）。
【０１０４】
また、商品情報管理サーバ３Ｃは、会員証ＩＤ２０１の保有ポイント２０２（ポイント残高）または今回発行したポイントの情報を、店舗端末６に送信し（ステップＳ６５）、店舗端末６は、受信したポイントの情報をレシートに印刷して出力してもよい（ステップＳ６６）。
【０１０５】
以上のように、第２の実施の形態の変形例として、商品情報管理サーバとポイント発行サーバの機能を１つのサーバで実現してもよい。なお、販売情報を登録する工程は、第２の実施の形態（図１５）と同様であり、販売情報の登録以外の製造から販売までの工程は、第１の実施の形態（図９）と同様である。
【符号の説明】
【０１０６】
１、１Ａ：ポイント発行システム
２：商品ＩＤ生成サーバ
３：商品情報管理サーバ
４：ポイント発行サーバ
５：メーカ端末（第１の登録端末）
６：店舗端末（第２の登録端末）
７：ユーザ端末
８：会員証
９：ネットワーク
１０：包材
１１ａ：ＪＡＮコード
１１ｂ：管理番号
８０：商品データベース
８０Ａ：製造情報
８０Ｂ：販売情報
８４：賞味期限
８７：販売日時
８８：購入者
９０（９０ａ、９０ｂ）：ポイント発行テーブル
９２：ポイント発行期間
９３：発行ポイント
１００：ユーザデータベース
２００：ポイントデータベース
【図１】
2019169090.tif 000003
【図２】
2019169090.tif 000004
【図３】
2019169090.tif 000005
【図４】
2019169090.tif 000006
【図５】
2019169090.tif 000007
【図６】
2019169090.tif 000008
【図７】
2019169090.tif 000009
【図８】
2019169090.tif 000010
【図９】
2019169090.tif 000011
【図１０】
2019169090.tif 000012
【図１１】
2019169090.tif 000013
【図１２】
2019169090.tif 000014
【図１３】
2019169090.tif 000015
【図１４】
2019169090.tif 000016
【図１５】
2019169090.tif 000017
【図１６】
2019169090.tif 000018
【図１７】
2019169090.tif 000019
【図１８】
2019169090.tif 000020
【図１９】
2019169090.tif 000021
【図２０】
2019169090.tif 000022